Podtech/llm-jp-corpus-v4-ja_patent huggingface dataset:
(57)【要約】【課題】流しのスポンジやカネタワシ、浴槽洗い用スポンジなどは分厚いので市販のフックではかけにくい。コップをうつむけておくものや物に入れるとゆうかたちのものはそれ自体を洗う手間がいる。水気の多い場所にあるものはシンプルでないと洗いにくい．洗髪やシャワーなどで湯水がとびちっているので歯ブラシなどは極力上のほうに置きたい。置き場所をかえたりできれば掃除が楽で衛生面でよい。【解決手段】フックをまっすぐ（１）にしたその先端に滑り止めと長さの調節のための蓋（２）をする。これだとクギにさすような感じで穴のあいたスポンジ、かねたわしなどすぐかけられる。二つ並べたうえにびんブラシなどもおける。流しのふちのどこにでもかけられて水きりの心配もいらない。場所もとらない。風呂場ではコップに歯ブラシ等をいれているがコップの底には水がたまり不衛生であるまっすぐフックで歯ブラシのブラシのあるほうを下に上向きフックでコップをうつむけにする。【選択図】図１
2010036011.tif 000002
【特許請求の範囲】
【請求項１】
吸盤に空洞でまっすぐな棒状（１）に栓のようなふた（２）をつけたフック。
【請求項２】
上向きの棒状（３）にふたをつけた請求項１記載のフック。
【発明の詳細な説明】
【技術分野】
【０００１】この発明は、フックをまっすぐと上向きにしたものにすべり留めと長さ調節のため栓状の蓋をしたフックにかんするものである。
【背景技術】
【０００２】従来、カーブのあるフックしかなくぶあついスポンジやカネたわしなどとてもかけにくい。
【発明の開示】
【発明が解決しようとする課題】
【０００３】これには、次のような欠点があった。
台所の流しは朝昼晩３６５日食器、なべ、かまのあらいものでスポンジ，カネたわしのかわく間がありません。この２つは別々におかないといっしょにおいておくとかならずカネたわしにからみます。
廃棄物のための三角かごや諸々のものがところせませしとでたりはいったりしますので水きりと置き場所の工夫が大切です。
2010036011.tif 000003
ふえいせいです。
本発明は以上のような欠点をなくすためになされたものである。
【課題を解決するための手段】
【０００４】まっすぐと上向きの空洞のフックに栓状のふたをつけて長さの調節と滑り止めとする。
【発明の効果】
【０００５】分厚いものが楽にかっけられる。移動が簡単なので掃除も楽である。
まっすぐフックどうしをならべればたなにもなって、歯ブラシはブラシ部分をしたむきにおけ衛生的。
たなだとうえにほこりや水滴がたまる。ひもつきのものはぶらさげられ、一石二鳥である。
上向きフックはコップをうつむきにかけられ衛生的で掃除も楽である。
【発明を実施するための最良の形態】
【０００６】以下、本発明を実施するための最良の形態について説明する。
空洞のあるまっすぐフックと上向きフックにそれぞれ長さ調節と滑り止めをかねた栓状のふたをする。
【図面の簡単な説明】
【０００７】
【図１】空洞のあるまっすぐフックである。
【図２】本発明の空洞のあるまっすぐフックに栓状のふたをした図である。
【図３】本発明の空洞のある上向きぐフックに栓状のふたをした図である。
【符号の説明】
【０００８】１    吸盤
２    中が空洞になっている（まっすぐなものと、上向きのもの）
３    栓状のふた
【図１】
2010036011.tif 000004
【図２】
2010036011.tif 000005
【手続補正書】
【提出日】平成20年10月22日(2008.10.22)
【手続補正１】
【補正対象書類名】明細書
【補正対象項目名】０００７
【補正方法】変更
【補正の内容】
【０００７】
【図１】空洞のあるまっすぐフックである。
【図２】本発明の空洞のあるまっすぐフックに栓状のふたをした図である。
(57)【要約】【課題】  洗濯槽の外槽と内槽の間の汚れが見られるように、洗濯機のキャビネットと脱水・洗濯槽の外槽の一部分、もしくは一面または全面に、透明な部分を設けた洗濯機を提供する。【解決手段】  洗濯機のキャビネット（１）と洗濯槽の外槽（２）の一部分、もしくは一面または全面を透明（３）（４）にした、洗濯槽の外槽と内槽の間を見られるようにした洗濯機を特徴とする。【選択図】図１
2010036012.tif 000002
【特許請求の範囲】
【請求項１】
（イ）洗濯機のキャビネット（１）の一部分、もしくは一面または全面に、透明な部分（３）を設ける。
（ロ）脱水・洗濯槽の外槽（２）の一部分、もしくは一面または全面に、透明な部分（４）を設ける。
以上の構成よりなる洗濯槽の外槽と内槽の間の汚れが見られる洗濯機。
【発明の詳細な説明】
【技術分野】
【０００１】  この発明は、洗濯機のキャビネットと脱水・洗濯槽の外槽の、一部分もしくは一面または全面を透明にして、外側から脱水・洗濯槽の外槽と内槽の間の汚れを見られるようにした洗濯機に関するものである。
【背景技術】
【０００２】  従来、洗濯機は洗濯物を入れて洗う脱水・洗濯槽の内側部分しか見られなかった。
【発明の開示】
【発明が解決しようとする課題】
【０００３】  これは、次のような欠点があった。
従来の洗濯機は脱水・洗濯槽の外槽と内槽の間を見ることができなかった為、その掃除に対し、多分汚れた頃であろうと予測、あるいは一定の期間をおいて、洗濯機用洗浄剤を使用し掃除するという、極めて汚れに対し曖昧なものであった。カビ・雑菌等が繁殖しやすく、洗剤カスや水垢が溜まりやすい場所であるにもかかわらず、そこがどれだけ汚れているのかは、洗濯機を分解してみないことには全くわからなかった。
本来、洗濯機は洗濯物の汚れを洗浄し、きれいにする為のものであるが、これでは不衛生さが拭いきれず、本当に清潔な洗濯機で洗えているのかが確認できないということは、心理的にもとても嫌なものであった。
本発明は、以上のような欠点をなくすためになされたものである。
【課題を解決するための手段】
【０００４】  洗濯機のキャビネット（１）と脱水・洗濯槽の外槽（２）に、洗濯槽の外槽と内槽の間の部分が外側から見られるように、一部分、もしくは一面または全面に、透明な部分（３）（４）を設ける。
本発明は、以上の構成よりなる、洗濯槽の外槽と内槽の間の汚れが見られる洗濯機である。
【発明の効果】
【０００５】  洗濯槽の外槽と内槽の間が見られることによって、洗濯機の内側がどれだけ汚れてきたのかがわかるので、掃除の時期の目安とすることができ、また、洗濯機用洗浄剤などを使用して洗濯槽の汚れをしっかりと落とせたのかが確認ができる。
これによって洗濯物が常に清潔に保て、洗濯をしたのにもかかわらず洗濯物がカビ臭かったり、水垢のようなものが洗濯物に付着したり洗濯水の中に浮遊する、などというようなことを防ぐことができ、洗濯機が本来の役目を果たすことができる。
【発明を実施するための最良の形態】
【０００６】  以下、本発明を実施するための最良の形態について説明する。
洗濯機のキャビネット（１）に、透明な部分（３）を設ける。
脱水・洗濯槽の外槽（２）に透明な部分（４）を設ける。
本発明は、以上のような構造である。
他の透明な部分の設け方として、一面や全面を透明にしても構わず、位置は中が確認できれば、どの面の、どの位置に設けても構わず、その大きさにも特に指定はない。
【実施例】
【０００７】  洗濯機キャビネット（１）の透明部分は、ポットや魔法瓶の窓のように、常に中が見えるようにしても、見たい時だけ見られるよう扉のようなものをつけても良い。
【図面の簡単な説明】
【０００８】
【図１】  本発明の縦型洗濯機のキャビネットと外槽の斜視図である。
【図２】  本発明の斜めドラム式洗濯機のキャビネットと外槽の斜視図である。
【符号の説明】
【０００９】  １洗濯機のキャビネット
２洗濯槽の外槽
３キャビネットの透明な部分
４外槽の透明な部分
【図１】
2010036012.tif 000003
【図２】
2010036012.tif 000004
(57)【要約】【課題】  複数の遺族誰でもが墓参り同様の供養が身近に、又社会通念上違和感なく手を、合わせ拝むべき故人の記念物が作れないかを課題として研究を進めた。【解決手段】  家庭内で故人を拝み、供養する対象物は木製の黒塗りの位牌が主である、そこで位牌を上部戒名板と台座部にわけ、台座部に納骨すべき空間をもうける事が可能かどうか研究した結果、台座部を平均的な木製位牌より丈高にして台座部だけは台形型にして一本木を用いて、中央部に遺骨・遺品を収納用の空間を持たせその後底部、前面、両側面に彫刻加工を施した、又、上部板、台座部それぞれに凸凹の溝などの加工を施す事で遺骨・遺品収納後にきっちり戒名板をはめ込む事ができた。また、鋳物金属系に関しても、同様に上部と下部にわけ遺骨・遺品収納後に戒名板部と台座部が合致するよう、鋳型を作るなどの加工をして製造することで遺骨・遺品収納型の位牌が提供できる。【選択図】図２
2010036007.tif 000002
【特許請求の範囲】
【請求項１】
台座部に遺骨を収納できる空間を施した位牌。
【発明の詳細な説明】
【技術分野】
【０００１】  本発明は、位牌の台座部に遺骨、遺品（遺髪、遺歯など）を収納する空間を持たせた木製及び鋳物、金属製位牌に関するものである。
【背景技術】
【０００２】  従来、位牌は葬儀中には形式上作成された俗名を記した木製位牌を奉じて行われ、葬儀後、個人の縁ある僧侶にて戒名を得て、喪主側家族が、仏具店など、職業上の第三者に単数依頼して、作成された無機質の木製漆塗り位牌が主であり、遺骨もまだ、喪主側一家族の墓地へ納骨されるのが主である。
【特願文献】
２００７−５７８１２
【発明の開示】
【発明が解決しようとする課題】
【０００３】  本発明は、故人を偲び供養を望む複数の家族、縁者がいるのに位牌、遺骨が一家族、一墓地という不合理をなくし、縁者誰でもが、故人を身近に置いて供養する方法がないか、又、わが国の供養形態に違和感を持たれずに遺骨を身近に置いて供養できないかを課題として、模索して研究を進めた。
【課題を解決するための手段】
【０００４】  故人を偲ぶにあたり、手を合わせ拝み供養する対象は、無機質な写真であり、位牌である。又、故人が死して火葬後、唯一現世に残すものは有機質の遺骨である。この遺骨を家庭内に違和感なく手を合わせ拝む対象物に納める事ができないか研究、模索した結果、位牌の台座部の形状を変形、変更する事で遺骨の収納が可能である事がわかった。
【発明の効果】
【０００５】  本発明は以上のような構成により、複数の縁者が遠方の墓地に出向くことなく、遺骨が収納された、手を合わせ、拝むべき有機記念物を身近に置き供養する事を可能にし、金属製などは火事でも焼失することなく今日の墓地の不足化、高額化が進む折、墓地を持てずにいる人々にとっても、あるいは直系の縁者では無い人々にも違和感無く自宅内に安置でき、あるいは庭先の一部にて簡単な社を作り墓の代わりとして奉る事も可能にした位牌です。
【発明の実施するための最良の形態】
【０００６】  最初は板木で製作してみた、これだと大きい位牌であればうまく細工、工作できるのだが、標準的な小さい位牌だと、細工がしにくく壊れやすい、そこで上部戒名板と下部台座部に分け、又、台座部を平均的な木製位牌より丈高にして台座部だけは台形型にして一本木を用いて、中央部に遺骨・遺品を収納用の空間を持たせその後底部、前面、両側面に彫刻加工を施した、又、上部板、台座部それぞれに凸凹の溝などの加工を施す事で遺骨・遺品収納後にきっちり戒名板をはめ込む事ができた。また、鋳物金属系に関しても、同様に上部と下部にわけ遺骨・遺品収納後に戒名板部と台座部が合致するよう、鋳型を作るなどの加工をして製造することで遺骨・遺品収納型の位牌が提供できる。
【図面の簡単な説明】
【０００７】
【図１】  本発明の断面図
【図２】  本発明の上下分離図
【符号の説明】
【０００８】  １納骨用空洞  ２上部戒名板  ３下部台座
【図１】
2010036007.tif 000003
【図２】
2010036007.tif 000004
(57)【要約】【課題】歯ブラシに舌の表面の汚れを取る器具の付いている歯ブラシを提供する。【解決手段】歯ブラシの反対側の柄の先端にスプーン状の凹み等を付けて、凹みの先端部分で舌の表面の汚れを掃除出来る様にした。【選択図】図２
2010036004.tif 000002
【特許請求の範囲】
【請求項１】
歯ブラシのブラシの付いていない反対側の柄の先端で、舌の表面を掃除出来る様にする。
【発明の詳細な説明】
【技術分野】
【０００１】本発明は、歯を磨いた時に他の器具を使用することなく舌の汚れを取る事が出来る様にしたもの。
【背景技術】
【０００２】歯ブラシに舌の表面の汚れを取る器具の付いている歯ブラシが無かった。
【発明の開示】
【発明が解決しようとする課題】
【０００３】歯を磨いた時に、舌の表面の汚れを取る為には別の器具を用意しなければ成らなかった。
【課題を解決するための手段】
【０００４】歯ブラシの反対側の柄の先端にスプーン状の凹み等を付けて、凹みの先端部分で舌の表面の汚れをかき出せる様にした。
【発明の効果】
【０００５】歯を磨いた時に、舌の表面の汚れを取る為には別の器具を用意しなければ成らなかったが、柄の先端で舌の汚れを落とす事で、この歯ブラシ一本でいつでも歯と舌の汚れを掃除することが出来る。
【実施例】
【０００６】図１の▲１▼の引っかき部で、舌の表面を引っかく様に動かし舌の汚れを取る。
【図面の簡単な説明】
【０００７】
【図１】本発明の平面図である。
【図２】本発明の断面図である。
【符号の説明】
【０００８】▲１▼引っかき部
▲２▼凹面
▲３▼穴
▲４▼ブラシ
【図１】
2010036004.tif 000003
【図２】
2010036004.tif 000004
(57)【要約】【課題】  ハンガー本体にベルト通しアームを取付、そのアームをズボンのベルト通しに、通すことでズボンの折り目を気にしなくてもよい、又ベルトに通したアームを広げることで、ズボンの洗濯時や汗の乾燥が早くなるようにしたズボンハンガーを提供する。【解決手段】  ハンガー本体（１）の下部に、ベルト通しアーム（２）と（３）を設け、そのアーム（２）と（３）が開閉することを特徴とする。【選択図】図１
2010036005.tif 000002
【特許請求の範囲】
【請求項１】
ハンガー本体（１）に２本のベルト通しアーム（２）と（３）を設けそのアーム部分が閉じたり開いたりするズボンハンガー。
【発明の詳細な説明】
【技術分野】
【０００１】この発明はハンガーのアームをズボンのベルト通しに通して使用するハンガーに関するものである。
【背景技術】
【０００２】従来のハンガー（１部クリップ式を除いて）は、ズボンを２つ折りにしてハンガーに掛けていたが、ズボンの折り目を気にしなければならず、また洗濯時や汗の乾燥が遅い欠点があった。
【発明の開示】
【発明が解決しようとする課題】
【０００３】これは次の様な欠点があった。
（イ）一般のハンガーではズボンの折り目を気にして掛けなければいけない。
（ロ）洗濯時や汗の乾燥に時間が掛かった。
本発明はこれらの欠点を除く為になされたものである。
【課題を解決するための手段】
【０００４】ハンガー本体（１）に２本のベルト通し（２）と（３）を設け又そのアームが開閉する事ができる。
本発明は、以上の様な構成よりなるズボン掛けハンガーである。
【発明の効果】
【０００５】ズボンのベルト通しにハンガーのアーム（２）と（３）部分を通すのでズボンの折り目を気にしなくてもよい、又アーム（２）（３）部分が開閉することで洗濯時や汗の乾燥が早く出来る。
【発明を実施するための最良の形態】
【０００６】以下、本発明を実施するための最良の形態について説明する。
ハンガー本体（１）の下部にベルト通しアーム（２）と（３）を設け、その（２）と（３）が開閉することが出来る。
本発明は以上のような構成で、これを使用する時はベルト通しアーム（２）と（３）をズボンのベルト通しに通す、又アーム（２）と（３）を広げることにより、洗濯時や汗の乾燥を早めることが出来る。
【図面の簡単な説明】
【０００７】
【図１】本発明の斜視図である。
【図２】本発明の使用状態を示した図である。
【符号の説明】
【０００８】１  ハンガー本体
２  ベルト通しアーム
３  ベルト通しアーム
【図１】
2010036005.tif 000003
【図２】
2010036005.tif 000004
(57)【要約】      （修正有）【解決手段】バイオマス廃棄物を粒状加工し通気性と流動性を確保し連続処理の体制を整え、処理後の最終廃熱をアルミ製の吸熱体に捕らえ、アルミ管より原料を加熱し乾燥された後、分解窯底より供給し、窯底に設置したプロペラにより平圧、攪拌し燃焼域の平面化を保ち続け、安定化はかり乾留によって残留炭素と揮発分に分かれた揮発分を窯底から燃焼域下部に設置した揮発分吸引管内に設置したピストンにより吸引圧縮、揮発分分解室へ噴射しオイルファーネス法により炭素と水素に分解、比重差により炭素を残し水素をタンクに蓄え燃料として利用する。揮発分分解室に堆積した炭素を燃焼域に噴射し分解熱を補う。【効果】バイオマスが適性に処理コントロールされ水素が分離でき化石燃料を必要としない社会とする事ができる。【選択図】なし【特許請求の範囲】
【請求項１】
粒状加工されたバイオマス廃棄物を垂直に立てたアルミ管下端よりピストンにより押し上げアルミ管上端よりあふれさせアルミ管とステンレス管の間へバイオマス原料を満しアルミ管に熱を熱源より熱を誘導し原料を加熱し乾燥を進め乾燥温度を２００度以下に設定し分解と炭化を避け乾燥を確実に進める。
【請求項２】
乾燥出来た原料を原料を分解窯底よりピストンで押し上げ、挿入し窯底に設置したプロペラにより分散と攪拌を進め燃焼域の平面化と平均化を図る。
【請求項３】
窯上部内周に施置した電熱線で点火後、窯上部外周より空気を噴射し燃焼域を確保し原料の分解を進める。
【請求項４】
窯底から燃焼域上面より２００ミリ下た位置まで揮発分吸引管を設置し燃焼域はセラミツク製とし耐熱性をもたせ揮発分を吸引し無駄な
燃焼を避ける。
【請求項５】
揮発分を揮発分分解室へ揮発分吸引管内に設置したピストンにより吸引、圧縮しノズルより噴霧、噴射する。
【請求項６】
分解室の加熱は残留炭素の表面燃焼熱と揮発分分解室に堆積した炭素を吸引し燃焼域へ噴射し加熱する。
【請求項７】
灰の処理と炭素供給のタイミングは吸引管のピストンの位置によりコントロールする。
【請求項８】
窯全体を乾いた土で覆い保温し安定性と効率化を図る。
【発明の詳細な説明】
【社会的な状況】
産業革命以来、化石燃料を、消費し通けた結果、炭素の割合が人間とって厳しい状況を進んでいる事に気ずき化石燃料の使用の抑制に乗り出し初めているが根本的な解決策は化石燃料の使用を止め太陽エネルギの範囲で生活すべきである。
【解決すべき課題】
バイオマス原料を休み無く連続的に供給し通ずけること
分解の妨げとになる水分を効率良く乾燥を進めること
分解温度を保つこと
燃焼域の環境を保つこと
揮発分の燃焼を防ぎ効率を高めること
燃焼域の閉鎖を防ぐこと
【課題を解決する手段】
バイオマス原料を粒状加工し窯底より挿入し窯底に設置した、プロペラにより流れを整え窯内へ供給し通ずける。
造粒加工されたバイオマス原料を垂直に立てたアルミ管低部内面よりピストンにより押し上げアルミ管外周部へ供給しアルミ管よりバイオマス原料を加熱し乾燥を進める、バイオマス原料の乾燥スペースをとるためにステンレスで囲う
炭化水素分解後の水素ガスの熱をアルミ製の吸熱体に捕らえ乾燥用アルミ管に導き乾燥を進める。
分解窯全体を熱の伝わりにくい乾いた土で覆い熱効率を高める。
窯上部外周より窯中心に向け空気を噴射し燃焼域を確保する。
燃焼後の灰により燃焼域の閉鎖を防ぐ為に窯上部内周に設けた灰溜まりより灰を吸引し取り除く。
乾留のより残留炭素と揮発分に分かれ蒸発する揮発分を窯底から燃焼域より３００ミリ下た位置まで揮発分吸引管を設置し揮発分を吸引し燃焼を避ける。
残留炭素と揮発分分解時に残つた炭素の燃焼熱により加熱分解室を加熱し炭化水素を水素と炭素に分解する。
バイオマス原料の乾燥時に分解を防ぐために乾燥温度を２００度以下の温度域で加熱する。
吸引管内へピストンを設置し揮発分の吸引、圧縮のタイミングを図り炭素と灰を取り除く。
吸引管外周に放射状に吸入弁を取り付け揮発分の出入りを制御する。
揮発分をノズルとピストンの作用により噴霧噴射する事により炭素と水素の分離を確実なものにする。
。
【発明の効果】
バイオマスが適性に処理コントロールされ水素が分離でき化石燃料を必要としない社会する事ができるとができる。
【実施例】フィールドから運ばれてきたバイオマスを粒状加工し垂直に立てられたアルミ管低部内よりピストンにより押し上げアルミ上部内よりアルミ缶外周へ供給されバイオマス乾燥スペースを設けるためにステンレス管で囲いアルミ製吸熱体に捕らえた２００度以下の熱を乾燥用アルミ管に導き乾燥を進め乾燥されたバイオマス原料を分解窯低部より挿入窯内部底に設置されたプロペラにより制圧、攪拌しつつ窯内へ供給し通ずけ窯上部内周に取り付けた電熱線により点火、窯上部外周より窯中心に向け空気を噴射し燃焼域を確保しバイオマスの分解熱を得、揮発分分解室へ揮発分をピストンの作用により圧縮、噴射し炭素と水素に分解、比重差にり炭素を残し水素をタンクに蓄え燃料とする。
揮発分吸引管は分解窯底部より揮発分分解室下部に設置し燃焼域は耐熱性に優れたセラミツク製とする。
分解窯全体を熱伝導性の低い乾いた土で覆うことにより安定性と熱効率を高める。
揮発分分解室の加熱は残留炭素の表面燃焼熱と揮発分分解室の底部に堆積した炭素を燃焼域へ噴射し熱源とする。
(57)【要約】【課題】  エネルギー消費量を減少できる濾過処理方法の提供。【解決手段】  親水性膜を有する膜モジュールで排水を濾過処理する方法であって、  濾過処理時において、膜モジュールの最大透水速度に対して、９８kPa膜間差圧時の１０％以下の透水速度で、間欠運転にて、かつ逆圧洗浄することなく濾過処理する、濾過処理方法。前記間欠運転は、６０〜１２００分間濾過運転した後、２〜３００分間濾過運転を停止する運転である。【選択図】  なし【特許請求の範囲】
【請求項１】
親水性膜を有する膜モジュールで排水を濾過処理する方法であって、
濾過処理時において、膜モジュールの最大透水速度に対して、９８kPa膜間差圧時の１０％以下の透水速度で、間欠運転にて、かつ逆圧洗浄することなく濾過処理する、濾過処理方法。
【請求項２】
前記膜モジュールとして、上部に透過水ノズルを有し、下部に原水ノズルを有するものを使用し、濾過運転の停止時において、前記透過水ノズルと原水ノズルを開放した状態で、膜モジュール内部の透過水を上部から下部方向に自然逆流させる、請求項１記載の濾過処理方法。
【請求項３】
前記間欠運転が、６０〜１２００分間濾過運転した後、２〜３００分間濾過運転を停止する運転である、請求項１記載の濾過処理方法。
【発明の詳細な説明】
【技術分野】
【０００１】
本発明は、低コストで濾過運転できる濾過処理方法に関する。
【背景技術】
【０００２】
中空糸膜等を用いた膜モジュールにより濾過運転するとき、濾過膜の処理能力内にて最大限の運転をすると、透水速度は大きくできるものの、処理能力を維持するための逆圧洗浄回数が増加してしまう。このため、濾過運転時に要するエネルギー量が増大する。
【特許文献１】特開平８−１９７０５３号公報
【特許文献２】特開２００２−３０１３３９号公報
【特許文献３】特開２００７−２２２７４０号公報
【発明の開示】
【発明が解決しようとする課題】
【０００３】
本発明は、低エネルギーにて濾過運転できる濾過処理方法を提供することを課題とする。
【課題を解決するための手段】
【０００４】
本発明は、課題を解決する手段として、
親水性膜を有する膜モジュールで排水を濾過処理する方法であって、
濾過処理時において、膜モジュールの最大透水速度に対して９８kPa膜間差圧時の１０％以下の透水速度で、間欠運転にて、かつ逆圧洗浄することなく濾過処理する、濾過処理方法を提供する。
【発明の効果】
【０００５】
本発明の濾過処理方法を適用することにより、安定した濾過運転ができると共に、濾過運転に要するエネルギー量を少なくすることができる。
【発明を実施するための最良の形態】
【０００６】
本発明の濾過処理方法で用いる膜モジュールは、濾過膜として親水性膜を有するものである。
【０００７】
親水性膜としては、酢酸セルロース、セルロースプロピオネート、セルロースブチレート、再生セルロース、これらの混合物等のセルロース系材料からなるもののほか、ポリビニルアルコールからなるものも使用できる。
【０００８】
濾過膜の形態は特に制限されず、中空糸膜、チューブラー膜、平膜等を用いることができるが、これらの中でも中空糸膜が好ましい。
【０００９】
濾過処理時には、膜モジュールの最大透水速度に対して９８kPa膜間差圧時の１０％以下の透水速度、好ましくは５〜９％、より好ましくは５〜７％の透水速度で濾過運転する。なお、透水速度は実施例に記載の方法により、求められるものである。
【００１０】
濾過運転は、間欠運転で行う。間欠運転では、６０〜１２００分間、好ましくは１２０〜６００分間濾過運転した後、２〜３００分間、好ましくは５〜３００分間濾過運転を停止する。
【００１１】
本発明の濾過処理方法では、膜モジュールとして、上部に透過水ノズルを有し、下部に原水ノズルを有するものを使用し、濾過運転の停止時において、前記透過水ノズルと原水ノズルを開放した状態で、膜モジュール内部の透過水を上部から下部方向に自然逆流させることが好ましい。このような操作をすることにより、エネルギー消費量を増加させることなく、透水速度を高いレベルで維持できる。
【００１２】
本発明の濾過処理方法を適用することにより、通常の濾過膜モジュールを用いた濾過運転では必須となる逆圧洗浄が不要となる。逆圧洗浄は、所定時間（通常は３０〜１２０分間）の濾過運転の後、膜モジュールに対して機械的に洗浄水を圧入して、１〜２分間程度濾過膜を洗浄する方法であるが、本発明ではこのような機械的な逆圧洗浄が不要となるため、エネルギー消費量を減少させることができる。なお、本発明の濾過処理方法を適用した場合には、１日に１回程度の手動による濾過膜の洗浄はすることができる。
【００１３】
また本発明の濾過処理方法を適用することにより、消費エネルギーを減少させることができるため、膜モジュールの運転時に動力源として１００Ｖ電源も使用することができるようになる。
【実施例】
【００１４】
（透水速度）
膜モジュールを用い、９８kPaの圧力下で純水をデッドエンド濾過し、単位時間、単位膜面積（内表面積換算）当たりの透過する純水量を測定した。更に透過水温度を測定し、水温２５℃の水の粘度を基準として、測定水量の粘度の比率を測定した純水量にかけた数値を透水速度（L/m２・hr）とした。
【００１５】
（膜モジュール）
酢酸セルロース中空糸膜（FUS1582；内径0.8mm，外径1.3mm，分画分子量15万ダルトン）を２０本束ね、内径２０mm、長さ３０cmのモジュールケースに収容し、両端をウレタン接着剤で封止して、膜モジュールを作製した。この膜モジュールは、設置したとき、上部に透過水ノズルを有し、下部に原水ノズルを有するものである。この膜モジュールの膜面積は0.0132ｍ２であった。この膜モジュールの透水速度は、６１０L/m２・hrである。
【００１６】
実施例１
上記の膜モジュールを用い、濁度１０NTUに調整した泥水を、最大透水速度（６１０L/m２・hr）の７〜９％の範囲で１２時間の濾過運転した。濾過運転は、１２０分間運転した後、５分間停止する運転を１サイクルとして、それを１２時間繰り返した。運転中、逆圧洗浄はしなかった。１２時間経過後の透水速度は、５２３L/m２・hrであった。
【００１７】
実施例２
実施例１と同様に１２時間の濾過運転をした。但し、濾過運転の５分間の停止時ごとに、透過水ノズルと原水ノズルを開放した状態で、膜モジュール内部の透過水を上部から下部方向に自然逆流させる操作をした。１２時間経過後の透水速度は、５６８L/m２・hrであった。
【００１８】
比較例１
実施例１と同じ膜モジュールと泥水を用い、最大透水速度（６１０L/m２・hr）の１５〜２０％の範囲で１２時間、連続濾過運転した。但し、１２０分間の濾過運転の後、ポンプを作動させて２分間の逆圧洗浄をする運転を１サイクルとして、それを１２時間繰り返した。１２時間経過後の透水速度は、５８０L/m２・hrであった。しかし、実施例１、２と比べると、高い透水速度で濾過運転した上、計５回の逆圧洗浄をしたため、エネルギー消費量は大きく増加した。
(57)【要約】  【課題】  比較的高い個所の穴開け作業を低所からでも行えるハンマードリルを得る。  【解決手段】  ハンマードリル本体Ｄに挿着するシャンク部１ｂと、ドリルビットｂの挿着手段を備えたアダプタ主体１ａを所要長さの内筒１ｃを介して互いに接続する。前記内筒１ｃの外側には手先で保持できる長さの有る外筒３を遊嵌する。また、アダプタ主体１ａの外径より外筒３の内径を小さくする。【選択図】    図１
2010029953.tif 000002
【特許請求の範囲】
【請求項１】
ハンマードリル本体に挿着するシャンク部と、ドリルビットの挿着手段を備えたアダプタ主体を所要長さの内筒を介して互いに接続すると共に、前記内筒の外側には手先で保持できる長さの有る外筒を遊嵌した、ハンマードリルのビットアダプタ。
【請求項２】
アダプタ主体の外径より外筒の内径を小さくした、請求項１記載のハンマードリルのビットアダプタ。
【発明の詳細な説明】
【技術分野】
【０００１】
本発明は、ハンマードリル本体に取付けて、例えば径の異なる種々のビットを選択的に用いることができるようにしたハンマードリルのビットアダプタに関するものである。
【背景技術】
【０００２】
一端（基端）側にシャンク部を、該シャンク部に連続する他端（先端）側をドリルビットを挿着する挿着穴を備えたアダプタ本体とした構造のものが一般である（例えば、特許文献１）。
【０００３】
【特許文献１】実開平４−５９１１号公報
【発明の開示】
【発明が解決しようとする課題】
【０００４】
前記従来例は、いわば、アダプタ本体の後端にシャンク部を突設した構成を採るため比較的短い形態を成し、たとえば、軒天ボルトのために天井に穴を開ける場合など床面からとどかない高所の穿設作業を行うときには脚立等の足場を利用して作業しなければならず、足場不安定な個所での作業は危険でもある。
【０００５】
本発明は、斯様な常況を勘案し、比較的高い個所の穴開け作業を低所からでも行えるハンマードリルを提供すべく創案したものである。
【課題を解決するための手段】
【０００６】
ハンマードリル本体に挿着するシャンク部と、ドリルビットの挿着手段を備えたアダプタ主体を所要長さの内筒を介して互いに接続すると共に、前記内筒の外側には手先で保持できる長さの有る外筒を遊嵌した、構成としたものである。
【０００７】
なお、この構成に、アダプタ主体の外径より外筒の内径を小さくした点を付加することにより、外筒をアダプタ主体に押し付けて該主体に挿着するビットに推進力を与えて穿孔作業を効率的に行えるハンマードリルを得ることができる。
【発明の効果】
【０００８】
本発明によれば、内筒を比較的長くしても外筒を手先で保持できるから穿孔操作に不都合のないビットアダプタを提供できる。従って、内筒を充分な長さにして、比較的高い箇所の孔開けに際しても脚立など必要としないハンマードリルを得ることができ、好適である。
【実施例】
【０００９】
図面は本発明に係る、ハンマードリルのビットアダプタの一実施例を示し、図１はビットアダプタＡの本体で、アダプタ本体１は、ドリルビットｂの挿着手段を備えたアダプタ主体１ａとシャンク部１ｂを内筒１ｃで互いに接続（実施例では互いに螺合してあるが、この螺合手段に代えて熔接などの他の手段でも良い）して構成し、前記ビットアダプタＡは、このアダプタ本体１に、該本体１の外側に係合させるようにして、前記挿着手段の操作筒２と外筒３を軸線に沿わせて移動自在に組付けて構成させる。
【００１０】
アダプタ主体１ａは後端側の小径部１ａ´を前記内筒１ｃに螺入して内筒１ｃと接続し、前記の挿着手段を備えたものである。
【００１１】
挿着手段は、先端面を開口して、前記ドリルビットｂをシャンク部において挿入する挿着穴４と、該挿着穴４の周壁に出没自在に支持させたロックピン５と、該ロックピン５を押圧して前記挿着穴４内のビットｂの前記シャンク部の凹部に係合させる前記操作筒２および該操作筒２とアダプタ主体１ａとの間に介在され、操作筒２によるロックピン５の押圧状態を保持するコイルばね８とで構成され、ドリルビットｂの挿着時にはばね８の付勢によって操作筒２によるロックピン５の挿着穴４内のビットｂに対する係合状態を保ち、ビットｂの取外し時には、コイルばね８の付勢に抗する操作筒２の、アダプタ主体１ａ先端側から後方への後退移動によってロックピン５の規制が解放される。
【００１２】
シャンク部１ｂは、後部側にドリル本体Ｄに備えたチャックなどの支持手段が係合する凹入部を備え、先端にはアダプタ主体１ａと同様に小径部１ｂ´を備え、この小径部１ｂ´を前記内筒１ｃの後端に螺入して内筒１ｃに接続してアダプタ主体１ａとで前記の通りアダプタ本体１を構成する。
【００１３】
アダプタ本体１は、主体部１ａとシャンク部１ｂを長い内筒１ｃ（鋼管製）で接続して前記の通り構成し、シャンク部１ｂによってハンマードリル本体Ｄに取付けることによって、ドリル本体Ｄと主体部１ａに取付けるドリルビットｂとの間の距離を長くし、いわばハンマードリル用延長棒として適用して、天井面などこれまで脚立を使用しなければできなかった高所の作業を床面上からもできるようにしたもので、実施例の場合、前記内筒１ｃは１１５５ｍｍの長さを有する（通常のビットアダプタよりドリルビットｂの長さを１１５５ｍｍ長くしたことになる）。
【００１４】
前記外筒（鋼管製）３は、内筒１ｃとほぼ同長にして内筒１ｃの外側にして内筒１ｃ乃至アダプタ本体１に対し回動自在に組付け、その内径を主体部１ａとシャンク部１ｂ（小径部１ａ´,１ｂ´を除く）の外径より小さくし、主体部１ａとシャンク部１ｂに小径部１ａ´,１ｂ´を設けて形成される段部１２，１２´に係止して、その前後の移動が規制されると共に、外筒３を段部１２に押圧係止することによって主体部１ａに挿着されたビットｂを間接的に押圧し、後方から押圧されるビットｂは、推進力を得て穿孔動作を効率的に行う。
【００１５】
そして、実施例のビットアダプタＡは、ハンマードリル本体１にシャンク部１ｂに於いて組付け、アダプタ主体１ａにドリルビットｂを挿着して用い、必要に応じて外筒３を手先で保持し、外筒３を押圧することによって主体１に取付けたドリルビットｂを被穿孔体に押し付けるようにして用いるのである。
【００１６】
なお、外筒３の内径をアダプタ主体１ａの外径より小さくする（狭くする）ということは、外筒３がアダプタ主体１ａに接して移動できない、ということを意味し、主体１ａに部分的に突出部を設けて外筒３からの押圧を受圧する場合もこれに含まれる。
【００１７】
また、外筒３はその長さに対応してビットｂとドリル本体Ｄが離開して、作業者から離開した個所の穿孔を行えるが、長すぎると、重量が嵩んだり（内筒１ｃが筒体であるのは軽量化を図った結果である）して支障が来たすので、注意すべきであり、その長さは内筒と同長の必要はなく、少なくも手先で保持できる程度にはすべきである。
【図面の簡単な説明】
【００１８】
【図１】ビットアダプタの断面図。
【符号の説明】
【００１９】
１ａ    アダプタ主体
１ｂ    シャンク部
１ｃ    内筒
３      外筒
【図１】
2010029953.tif 000003
(57)【要約】    【課題】  利用しやすい一体型の鍼灸針を提供する。    【解決手段】  針金状の針体１の一端側をストレートにして、その先端に針先部２を形成する。針体１の他端側を、針の刺入方向に長い長円形状に巻回成形して、該巻回部により針柄３を一体に形成する。前記長円形状の針柄３の長さＬは１０〜３０ｍｍ、針柄３の幅Ｗは１〜５ｍｍとする。【選択図】  図１
2010029513.tif 000002
【特許請求の範囲】
【請求項１】
針体の一端側に針先部を形成し、前記針体の他端側を針の刺入方向に長い長円形状に巻回成形して、該巻回部により針柄を一体に形成したことを特徴とする鍼灸針。
【請求項２】
前記長円形状の針柄の長さを１０〜３０ｍｍ、針柄の幅を１〜５ｍｍとしたことを特徴とする請求項１記載の鍼灸針。
【発明の詳細な説明】
【技術分野】
【０００１】
本発明は、鍼治療に用いる鍼灸針に関し、特に、針体と針柄とを一体に形成してなる一体型鍼灸針に関する。
【背景技術】
【０００２】
従来の鍼灸針は、先端に針先部が形成される針体と、針体の基端側に取付けられる樹脂製又は金属製の針柄と、の２部品で構成されている。従って、部品点数が増えることにより、製造コストの上昇は避けられない。
そこで、針体の一部を針柄として加工することにより、部品点数を増やさず、安価な鍼灸針を提供することが考えられる。同様の考えに基づき、皮内針として、特許文献１（特にその図８(c) ）や特許文献２に示されるように、針体の基端側を円形状や螺旋状に巻回成形して針柄とした一体型鍼灸針が提供されている。
【特許文献１】特開平８−０１０３１１号公報
【特許文献２】実開平６−０１５６３５号公報
【発明の開示】
【発明が解決しようとする課題】
【０００３】
しかしながら、従来の一体型鍼灸針は、針柄の部分が小さく、ピンセットが必要であったり、手で持ち易くするために大きくすると、円形状や螺旋状では、全体にサイズが大きくなり、一般的な鍼灸針（毫針）としては利用しずらい。その様な理由から、あまり利用されなかった。
本発明は、このような実状に鑑み、利用しやすい一体型の鍼灸針を提供することを目的とする。
【課題を解決するための手段】
【０００４】
このため、本発明では、針体の基端側を、針の刺入方向に長い長円形状に巻回成形して、該巻回部により針柄を一体に形成したことを特徴とする。
尚、ここでいう「長円形状」とは、巻回部の長さ（刺入方向の長さ）が巻回部の幅（刺入方向と直角な方向の長さ）より長ければ、厳密な長円でなくでもよく、楕円などであってもよいし、角形や菱形に近いものであってもよい。
【発明の効果】
【０００５】
本発明によれば、刺入方向に長い長円形状の巻回部からなる一体型の針柄とすることにより、指で持ちやすい長さとなる一方、幅は狭いので密集した場所にも刺入できるなど、利用しやすくなる。
【発明を実施するための最良の形態】
【０００６】
以下に本発明の実施の形態を図面に基づいて説明する。
図１は本発明の一実施形態を示す一体型鍼灸針の拡大図である。
ステンレス製で針金状の針体１の一端側をストレートにして、その先端に針先部２を形成してある。
また、針体１の他端側を、針の刺入方向に長い長円形状に巻回成形して、該巻回部により針柄３を形成してある。従って、針体１の基端側に針柄３が一体に形成される。
【０００７】
詳しくは、図２に、針体の巻回成形の様子を一筆書きで示すように、長円形状の巻回部は約１．５周巻かれる。
すなわち、巻回部（針柄３）は、針体１の一端側のストレート部に連なって他端側に延びる第１部分３ａと、該第１部分３ａの終端から折り返して該第１部分３ａと対をなすことことで長円形状を形成する第２部分３ｂと、該第２部分３ｂの終端から折り返して他端側へ延びて前記第１部分３ａと重なる第３部分３ｃと、を備え、更に、該第３部分３ｃの終端から、第１及び第３部分３ａ、３ｃと第２部分３ｂとの間へわずかに折り返す端部３ｄを備える。
【０００８】
但し、図１及び図２に示すような、折り返す端部３ｄは設けず、図３及び図４に示すような、巻終わり（あるいは巻始め）の端部３ｅとしてもよく、端部の処理については問わない。
また、図５及び図６に示すように、針体１の一端側のストレート部と、これに連なって他端側に延びる前記第１部分３ａとを一直線上に配置してもよい。言い換えれば、針体１の中心と針柄３の幅方向の中心とがずれて、針体１の片側に偏心して巻回部による針柄３が形成されるようにしてもよい。
【０００９】
尚、巻回成形の製法は、巻き取り又はプレス加工を用いればよい。
本実施形態の一体型鍼灸針は、長円形状の巻回部からなる針柄３の部分を指でつまんで、針体１を針先部２から皮下に刺し入れればよく、通常の鍼灸針（毫鍼）として用いることができる。尚、皮膚に直角に刺し入れる他、斜め、あるいは横向きに刺し入れるようにしてもよい。
【００１０】
ここで、長円形状の針柄３の長さＬは、１０〜３０ｍｍ、針柄３の幅Ｗは、１〜５ｍｍとする。指で持ちやすい長さとすることができる一方、幅は狭いので、密集した場所にも刺入することができる。
針の長さＬｎについては、任意であるが、例えば、２〜１５ｍｍとして、比較的短くすることができる。短い針を作ることは非常に難しく、長い針を研削してから短くカットする必要があり、工程も増え、コストアップの要因となっていた。長い針を折りたたんで、短い針を作れば、廃棄する材料もなく、工程も簡略化できるので、コストダウンを図ることができる。
【００１１】
尚、本実施形態では、通常の鍼灸針（毫鍼）として説明したが、皮内針として用いるようにしてもよい。
また、巻回部の巻数については、１．５周に限定する必要はない。但し、材料を節約する、手で操作可能な強度を持たせる、及び、軽量化を考慮した場合、この程度が適当であると考えられる。
【００１２】
また、長円形状の巻回部については、既に述べたように、巻回部の長さＬ（刺入方向の長さ）が巻回部の幅Ｗ（刺入方向と直角な方向の長さ）より長ければ、厳密な長円でなくでもよく、楕円などであってもよいし、角形や菱形に近いものであってもよい。
【図面の簡単な説明】
【００１３】
【図１】本発明の一実施形態を示す一体型鍼灸針の拡大図
【図２】同上の一体型鍼灸針の巻回状態を示す図
【図３】本発明の他の実施形態を示す一体型鍼灸針の拡大図
【図４】同上の一体型鍼灸針の巻回状態を示す図
【図５】本発明の更に他の実施形態を示す一体型鍼灸針の拡大図
【図６】同上の一体型鍼灸針の巻回状態を示す図
【符号の説明】
【００１４】
１  針体
２  針先部
３  針柄（長円形状の巻回部）
【図１】
2010029513.tif 000003
【図２】
2010029513.tif 000004
【図３】
2010029513.tif 000005
【図４】
2010029513.tif 000006
【図５】
2010029513.tif 000007
【図６】
2010029513.tif 000008
(57)【要約】【課題】  目の不自由方や老齢な方が、杖の使用時に杖の先端から笛の音が鳴り、周りの人達に自分の存在を知らせることが出来る杖を提供する。【解決手段】  従来使用されている杖の先端部分に、キャップを設け、キャップの中にバネ・エアー部・笛・底部を設け、杖をつくたびに、エアー部からエアーが流れ笛を鳴らすことを特徴とする老人用・盲人用の杖。【選択図】図１
2010029620.tif 000002
【特許請求の範囲】
【請求項１】
従来使用されている杖の先端部分にキャップを設け、キャップの中にバネ・エアー部・笛・底部を設け、杖をつくたびに、エアー部からエアーが流れ、笛を鳴らすことを特徴とする老人用・盲人用の杖。
【発明の詳細な説明】
【技術分野】
【０００１】  本発明は、杖使用時に自動的に音を発する事の出来る老人用・盲人用の杖に関する物である。
【背景技術】
【０００２】  従来、お年寄り用の握り部を工夫した杖や、目の不自由な方用の白く塗った杖がほとんどである。
【特許文献１】特開第２００４−８１７１６号公報  特開第２００１−３５３１９４号公報
【発明の開示】
【発明が解決使用とする課題】
【０００３】    そのために次のような問題点があった。
（イ）電車の優先席に健常者が座っていて、目の不自由な方や杖を持っている老人が立っているのを、日常茶飯事よく見かける。
（ロ）通勤時、人混みの中で、目の不自由な人に気づかずぶつかっているのを見かけたことがある。
本発明はこれらの問題を解決しようとするものである。
【課題を解決するための手段】
【０００４】  従来使用されている杖の先端部分にキャップを設け、キャップの中にバネ・エアー部・笛・底部を設け、杖をつくたびに、エアー部からエアーが流れ、笛を鳴らす。以上を特徴とする老人用・盲人用の杖である。
【発明の効果】
【０００５】  杖を使用する方が杖をつく度に、笛が鳴り周りの人達へ、自分の存在をアピールする事ができ、優先席に本来座るべき人達が座る事が出来るような環境づくりに役立つ。
また、お年寄り・目の不自由な方の外出意欲の効果も期待できる。
【発明を実施するための最良の形態】
【０００６】  以下、本発明の実施の形態を説明する。
（イ）杖（６）の先端部分に着脱式のキャップ（１）を設ける。
（ロ）そのキャップの中にエアーが入る空間エアー部（２）を設ける。エアー部の外に        小型の笛（３）を付ける。
（ハ）キャップ（１）の中に、更にバネ（４）と底部（５）を設ける。
（ニ）杖（６）の先端はキャップ式の代わりにＴの字先端（７）にし、そこに幼児用サ        ンダル（８）を装着してもよい
本発明は、以上の構成でこれを使用する時は、外出時に杖の先端に、杖を差込口（１０）から本発明品をセットする。
使用者が杖をついて歩く度に、エアー部（２）から押し出される空気で笛が鳴り、周りの人々に、存在を気づかせることが出来る。
【図面の簡単な説明】
【０００７】
【図１】本発明の斜視図
【図２】本発明の使用状態を示す斜視図
【図３】本発明の分解斜視図
【図４】本発明の一部の拡大図
【図５】本発明の他の実施例
【図６】本発明の他の実施例の分解斜視図
【符号の説明】
【０００８】    １    キャップ
２    エアー部
３    笛
４    バネ
５    底部
６    杖
７    Ｔの字先端
８    幼児用サンダル
９    笛の取付口
１０  杖の差込口
【図１】
2010029620.tif 000003
【図２】
2010029620.tif 000004
【図３】
2010029620.tif 000005
【図４】
2010029620.tif 000006
【図５】
2010029620.tif 000007
【図６】
2010029620.tif 000008
(57)【要約】【課題】加熱調理器、炊飯器の加熱蒸気による危害防止と有効成分の活用。【解決手段】加熱調理器、炊飯器の蒸気排出孔にカバーを設置し、蒸気を冷却して生じた液状物質を収容する容器、スポンジを配置したこと。【選択図】図１
2010029619.tif 000002
【特許請求の範囲】
【請求項１】
加熱調理器、炊飯器１の蓋２の加熱蒸気排出孔３を被うカバー４を設置し、そのカバー４の内部に加熱蒸気が濃縮した液状物湿７を収容する容器６を載置した加熱調理器、炊飯器の蒸気捕集装置。
【請求項２】
容器６と共通の目的を達成する多孔性スポンジを設置した加熱調理器、炊飯器の蒸気捕集装置。
【発明の詳細な説明】
【技術分野】
【０００１】本発明は、国際特許分類Ａ４７Ｊ加熱調理；飲料を造る装置に関する。これらから排出される加熱蒸気の処理装置である。
【背景技術】
【０００２】東京都の実験によれば、炊飯器などから噴出する加熱蒸気による火傷などの危害が多く発生しているにもかかわらず、メーカーの対策は不十分である。また、特許技術を検索しても、特表２００８−５０８０２２に見られるように家庭用加熱調理器への配慮はない。本発明はこの危害性を防止するとともに、加熱蒸気にふくまれる脂質、グルテリンなどの有用物質の利用を目的としたものである。
【発明の表示】
【発明が解決しようとする課題】
【０００３】家庭用加熱調理器、炊飯器などから放出される加熱じょうきによる火傷などの危害防止とともに、加熱蒸気に含まれる栄養物を捕集して活用すること。
【課題を解決するための手段】
【０００４】前記の目的を達成するために家庭用加熱調理器、炊飯器の加熱蒸気排出孔を被う被覆構造物を設け、加熱蒸気を冷却、捕集する機構を作成した。
【発明の効果】
【０００５】本発明は、家庭用備品として使用しやすい形状、構造であり、加熱蒸気の危害防止に有効であり、炊飯時の蒸気放散をおさえ、その栄養素も利用しうるものである。
【発明を実施するための最良の形態】
【０００６】以下、本発明の形態を図１〜図３により説明する。【０００７】図の１は家庭用加熱調理器、炊飯器であり、その蓋２の蒸気排出孔３を持つ機構が通常の加熱調理器、炊飯器であり、加熱時の蒸気は蒸気排出孔３より放出され、市販品ではオートスチーマーと称する機種に蒸気の回収機構が見られるものの、放出される加熱蒸気に対する機構は無い。【０００８】本発明は、この加熱調理器、炊飯器１の蓋２の蒸気排出孔３を被うカバー４を設けたものである。【０００９】このカバー４は円錐状を図示しているが、形態は自由であり、その上部に蒸気の排出孔５を設置する。【００１０】この構造のカバー４の内部に、加熱蒸気が冷却、液化した液状物質７を収容する容器６を、炊飯器１の蒸気排出孔３を避けて設置する。【００１１】この容器６は多孔性スポンジでも差し支えなく、その場合は炊飯器１の蓋２の上面に載置してもよくその場合、蓋２に接する面を蓋２に順応した形態にすればカバー４が安定し、炊飯時カバー４が揺れ動くことを防止できる。
【実施例】
【００１２】本発明の具体的説明を行う。
まず、市販の炊飯器、例えば日立製ＲＺ−ＧＤ１０Ｊ、東芝製ＲＣ−１０ＶＷＡ、三菱製ＮＪ−ＨＳ０６、タイガー製ＪＫＤ−Ｈ１８０、ナショナル製ＳＲ−Ｐ３２Ａ、象印製ＮＰ−ＥＣ１８などに玄米２合乃至７合程度を軽く洗米して規定量の水を加え炊飯する。機種によるが５乃至２０分で蒸気が噴出しはじめる。
炊飯器１の蓋２の蒸気排出孔３の上面にカバー４を載置する。このカバー４を載置するのは蒸気が排出する以前が効果は大きい。３０分乃至６０分程度で蒸気の噴出は終了するので、カバー４をとり中の容器６から液状物質７を回収する。容器６を多孔性スポンジで代用した場合は、この多孔性スポンジを加圧して液状物質７を回収する。前記の家庭用炊飯器では、一回の炊飯作業で約２ｇ乃至５ｇ程度の液状物質７が得られるが、炊飯時の水量により加減出来る。
【産業上の利用可能性】
【００１３】本発明を家庭用炊飯器で説明したが、業務用でも大きな成果が得られる。従来、利用されなかった加熱時の蒸気に含まれる有用物質の活用は有益であり、炊飯時の加熱蒸気による危険性も回避出来る。
【図面の簡単な説明】
【００１４】
【図１】本発明の実施形態を示す加熱調理器の断面図
【図２】本発明の平面図
【図３】本発明に使用するカバーの断面図
【図４】同カバーの平面図
【符号の説明】
【００１５】１    加熱調理器
２    加熱調理器蓋
３    蒸気排出孔
４    カバー
５    カバーの蒸気排出孔
【図１】
2010029619.tif 000003
【図２】
2010029619.tif 000004
【図３】
2010029619.tif 000005
【図４】
2010029619.tif 000006
(57)【要約】【課題】従来の鉄道情景模型は机上に置いたり、ベースに脚を取り付けて保管するため、場所を取り、また模型上に埃が付く。本発明はケースの中に組み込んだ鉄道の情景模型に額縁を装着するもので、模型に埃が付かず、壁に掛けて鑑賞できる額縁付き鉄道情景模型を提供する。【解決手段】本発明は図１の鉄道情景模型を組み込んだ奥行きのある１ケースを２ａ額縁の２ｃ入れ子に固定し、２ｃ入れ子を２ｂガラスをはめ込んだ２ａ額縁にはめ込み、１ケースとほぼ同じ大きさの穴が開いた２ｄ裏板をはめ、２ｅトンボを回転させて２ｄ裏板を固定する。１３吊金具を使用することによって壁に掛けることができるため場所を取らない。１ケース内は、３背景画、４土台、５線路、６バラスト、７架線柱、８架空電車線、９木、その他、土、草、花などの情景素材や鉄道標識などを接着した情景模型からなり、鉄道模型車両の入れ替えを可能とした１０フックを備える。【選択図】図１
2010029616.tif 000002
【特許請求の範囲】
【請求項１】
鉄道情景模型を組み込んだ奥行のあるケースに額縁を装着した額縁付き鉄道情景模型。
【発明の詳細な説明】
【技術分野】
【０００１】  この発明は、鉄道情景模型が組み込まれているケースに額縁を装着した額縁付き鉄道情景模型に関するものである。
【背景技術】
【０００２】  従来、鉄道情景模型は机上に置くものであった。
【発明の開示】
【発明が解決しようとする課題】
【０００３】  これは、次のような欠点があった。
従来、鉄道情景模型は机上に置いたり、ベースに脚を取り付けて保管するため、数が増すと場所を取ることになる。また、模型上に埃が付く。
本発明は、以上のような欠点をなくすためになされたものである。
【課題を解決するための手段】
【０００４】  鉄道模型車両、線路、バラスト、架線柱、木、草、鉄道標識などで構成する鉄道情景模型を組み込んだ奥行きのあるケースを額縁の入れ子に固定し、その入れ子を額縁にはめ込み、ケースとほぼ同じ大きさの穴が開いた裏板をはめ、トンボを回転させて裏板を固定する。また、額縁及びケースに吊金具を取り付ける。
本発明は、以上の構成よりなる額縁付き鉄道情景模型である。
【発明の効果】
【０００５】  壁に掛けることができるため、場所を取らない。また、額縁とケースが一体となるため、模型上に埃が付かない。さらに、ケースから額縁を取り外すことにより、ケース内に展示する鉄道模型車両の入れ替えが可能となるため、好みの鉄道模型車両を展示して楽しむことができる。
【発明を実施するための最良の形態】
【０００６】  以下、本発明を実施するための最良の形態について添付図面に従って説明する。
［図２］  １ケース内に、３背景画、４土台、５線路、６バラスト、７架線柱、８架空電車線、９木、その他、土、草、花などの情景素材や距離標、勾配標などの鉄道標識などを接着して情景模型を製作する。４土台に１０フックを固定し、１１鉄道模型車両の台車の１２車軸を手動により１０フックにかけて固定する。固定した鉄道模型車両は手動による取り外しができるため、好みの鉄道模型車両を展示して楽しむことができる。
［図３］  １ケースを２ａ額縁の２ｃ入れ子に固定し、２ｃ入れ子を２ｂガラスをはめ込んだ２ａ額縁にはめ込み、１ケースとほぼ同じ大きさの穴が開いた２ｄ裏板をはめ、２ｅトンボを回転させて２ｄ裏板を固定する。これにより、１ケースと２ａ額縁が一体となるため、模型上に埃が付かない。２ａ額縁及び１ケースに１３吊金具を取付ける。これにより、壁に掛けることができるため、場所を取らない。最後に
［図１］  の鉄道情景模型は一例であるが、背景画や木の葉の色などを変えることにより、鉄道のある四季の情景を楽しむことができる。また、土台の一部を橋梁に変更したり、トンネルポータルを取り付けるなど、様々な鉄道構造物を組み込むことにより、無限に鉄道情景模型を楽しむことができる。
【実施例】
【０００７】  入れ子のない額縁については、裏板にケースの内寸と同じ大きさの穴を開け、ケース内に組み込んだ鉄道情景模型が見えるように、裏板にケースを接着し、トンボを回転して固定した額縁付き鉄道情景模型。
【図面の簡単な説明】
【０００８】
【図１】  額縁付き鉄道情景模型の斜視図である。
【図２】  鉄道情景模型を組み込んだケースと鉄道模型車両の斜視図である。
【図３】  ケース、額縁、ガラス、入れ子、裏板、トンボ、吊金具の斜視図である。
【符号の説明】
【０００９】１  ケース
２ａ  額縁
２ｂ  ガラス
２ｃ  入れ子
２ｄ  裏板
２ｅ  トンボ
３  背景画
４  土台
５  線路
６  バラスト
７  架線柱
８  架空電車線
９  木
１０  フック
１１  鉄道模型車両
１２  車軸
１３  吊金具
【図１】
2010029616.tif 000003
【図２】
2010029616.tif 000004
【図３】
2010029616.tif 000005